(57)【要約】      （修正有）【課題】原材料コストが安く、かつ、リサイクル原料の有効利用や、更に、購入後の有効利用（再利用）を可能にする自動販売機用容器の提供。【解決手段】１は段ボール製の円筒、２は前記円筒の底面を閉塞する段ボールである。３はポリプロピレン製上蓋であり、４は引っ掛けフックである。中には、商品として、１次包装５されたマスク６が封入されている。【選択図】図９
0003115697.tif 000002
【実用新案登録請求の範囲】
【請求項１】
密封性を有する紙製容器内に商品を封入することを特徴とする飲料用自動販売機用容器。
【請求項２】
紙製容器が紙、段ボール、再生紙または再生段ボール製であることを特徴とする請求項１記載の飲料用自動販売機用容器。
【請求項３】
紙製容器の重量を、封入される商品重量と合わせて８５ｇ以上になるように調整されたものであることを特徴とする請求項１又は２いずれかの項記載の飲料用自動販売機用容器。
【請求項４】
紙製容器の重量を、封入される商品重量と合わせて１００ｇ以上になるように調整されたものであることを特徴とする請求項３記載の飲料用自動販売機用容器。
【請求項５】
商品が、衛生・被服用品及び非液体食品から選ばれるものであることを特徴とする請求項１〜４いずれかの項記載の飲料用自動販売機用容器。
【請求項６】
衛生用品がマスクであることを特徴とする請求項５記載の飲料用自動販売機用容器。
【請求項７】
衛生用品が生理用ナプキンであることを特徴とする請求項５記載の飲料用自動販売機用容器。
【請求項８】
被服用品がストッキングであることを特徴とする請求項５記載の飲料用自動販売機用容器。
【請求項９】
衛生用品が密封おしぼりであることを特徴とする請求項５記載の飲料用自動販売機用容器。
【請求項１０】
非液体食品が、健康食品、乾パン、クッキー及び非常用食品から選ばれるものであることを特徴とする請求項５記載の飲料用自動販売機用容器。
【考案の詳細な説明】
【産業上の利用分野】
【０００１】  本考案は、密封性を有する紙製飲料用自動販売機用容器（以下、「本考案容器」という）に関する。
【背景技術】
【０００２】  一般に、自動販売機にて販売される商品としては飲料が多く、カン、ペットボトルや紙製容器に封入して取り扱われている。また、一部、コンドームなどの衛生用品が紙製容器に入った形で手動式自動販売機などで取り扱われている。
【考案の開示】
【考案が解決しようとする課題】
【０００３】  このような状況下に、原材料コストが安く、かつ、リサイクル原料の有効利用や、更に、購入後の有効利用（再利用）をも可能にする飲料用自動販売機用容器の開発が望まれていた。
【課題を解決するための手段】
【０００４】  本考案者は上記課題を解決するために、鋭意検討を行なった結果、本考案容器を開発するに至った。以下、本考案について詳説する。【０００５】  本考案容器は密封性を有する紙製の容器である。その形状は、自動販売機に格納できる形であれば特に限定されないが、商品取り出しの容易性などを考慮して、円筒形、長方体、立方体などが考えられ、特に、飲料で多用されている円筒形及び直方体形がより好ましい（図１及び図２）。【０００６】また、容器からの商品取り出し口は、自動販売機による販売時に密封が担保される形態であれば特に限定されないが、図３〜図５に示す蓋が好ましい。これら容器本体及び蓋は、その形状を保つことが可能な紙製であるが、古紙などのリサイクルなども考慮すると、再生紙や再生段ボールが好ましい。【０００７】さらに、本考案容器の紙部分の外側は、容器内商品の水分からの影響を少なくするために汎用されている撥水性コーティング剤でコーティングしても良い。また、蓋部分のみは再密封利用を考慮すると、通常の高分子素材としても良い。さらに、軽重量の商品を封入する場合、容器重量と合わせ、８５ｇ以上の重量がないと、一般の自動販売機内で容器移動が困難になることから、【０００８】容器重量を８５ｇ以上、好ましくは１００ｇ以上になるように紙厚を調整したり、容器内部に重量調整部材を封入しても良い。その場合、重量調整部材としては、例えば、図６に示すようなものが挙げられ、材質は特に限定されないが、特に、再生段ボールが好ましい。重量調整部材は容器に固定させて使用してもよい。【０００９】  本考案容器に封入する商品としては、飲食料品でなければ特に限定されないが、購入者の当該容器の再利用を考慮して、空容器内面が汚れないものであれば良く、例えば、マスク、生理用ナプキン、ハンカチ、密封おしぼり（エタノールなどを含んだ殺菌用であっても良い）、ストッキングなどの衛生・被服用品；固形健康食品、クッキー、乾パン、非常用食品  などの非液体食品などが望ましい。そして、これらの商品はいずれも、１次包装がなされている方がより望ましい。
【考案の効果】
【００１０】  本考案容器を用いることによって、古紙などの再利用が可能となり、その結果、コストの低減化も可能となる。また、購入した消費者が当該空容器を、例えば、鉛筆立て、お菓子入れなど、再利用することも可能になる。【００１１】  また、これらの商品は通常店頭でしか販売されておらず、街角に設置されている自動販売機で入手できることになり、急な使用時に対応できるなど、一般消費者の利便性に寄与するという効果もある。
【実施例】
【００１２】  次に実施例を挙げて本考案を説明するが、本考案はこれに限定されるものではない。
【実施例１】
【００１３】  図７、及び図８は約１５０ｍｌの容量を有する容器であり、１は段ボール製の円筒、２は前記円筒の底面を閉塞する段ボールである。３はポリプロピレン製上蓋であり、４は引っ掛けフックである。中には、商品として、１次包装５されたマスク６が封入されている。【００１４】１の紙厚は１０ｍｍ程度にすることによって、本容器が自動販売機内からスムーズに取り出し口まで落下する。購入者は４の指引っ掛けフックを引っ張ることにより、当該容器を開けることができ、商品を取り出すことができる。
【実施例２】
【００１５】  実施例１において、紙厚が３ｍｍの容器を用いる場合は、重量調整用部材として、図６に示す７ｍｍの段ボール製部材７を当該容器内に入れることにより、実施例１と同様に扱うことができる。（前記部材は、容器に均一に重量がかかることから好ましい）
【実施例３】
【００１６】  実施例２において、商品として、１次包装された生理用ナプキン（本例では２個）８を封入する。
【実施例４】
【００１７】  実施例１において、商品として、１次包装された女性用ストッキング９を封入する。
【実施例５】
【００１８】  実施例２において、商品として、１次包装された殺菌用含水エタノールを染み込ませたお手拭１０を封入する。
【図面の簡単な説明】
【００１９】
【図１】本考案容器の形（円筒型）
【図２】本考案容器の形（長方体型）
【図３】本考案容器の蓋（ポリプロピレン製指引っ掛けフック付き押込み型蓋の上から見た図）
【図４】図３のＡ−Ａ断面図
【図５】本考案容器の蓋（直方体容器用再生段ボール製帽子型蓋）
【図６】図５のＡ−Ａ断面図
【図７】本考案容器の蓋（紙又はアルミ薄膜を貼り合せた紙製で、剥離可能な接着剤による接着型蓋）
【図８】重量調整部材（円筒型）
【図９】実施例１の容器で図１のＡ−Ａ線断面図
【符号の説明】
【００２０】１‥容器の蓋
２‥容器
３‥指引っ掛けフック
４‥重量調整部材
５‥容器底面
６‥商品
７‥紙又は段ボール
８‥アルミ薄膜
９‥剥離可能な接着剤
【図１】
0003115697.tif 000003
【図２】
0003115697.tif 000004
【図３】
0003115697.tif 000005
【図４】
0003115697.tif 000006
【図５】
0003115697.tif 000007
【図６】
0003115697.tif 000008
【図７】
0003115697.tif 000009
【図８】
0003115697.tif 000010
【図９】
0003115697.tif 000011
【手続補正書】
【提出日】平成17年3月30日(2005.3.30)
【手続補正１】
【補正対象書類名】実用新案登録請求の範囲
【補正対象項目名】請求項１
【補正方法】変更
【補正の内容】
【請求項１】
密封性を有する紙製容器（図１又は図２に示す）内に商品を封入することを特徴とする飲料用自動販売機用容器。
【手続補正書】
【提出日】平成17年7月21日(2005.7.21)
【手続補正１】
【補正対象書類名】実用新案登録請求の範囲
【補正対象項目名】全文
【補正方法】変更
【補正の内容】
【実用新案登録請求の範囲】
【請求項１】
周壁と、該周壁を閉塞する底面と、該底面と対向する側に設けられ、かつ密封可能な蓋部を有して内部に商品を封入可能な紙製容器であって、前記紙製容器の重量は、封入される商品重量と合わせて８５ｇ以上になるように調整されたものであることを特徴とする飲料用自動販売機用容器。
【請求項２】
前記紙製容器は、紙、段ボール、再生紙または再生段ボール製であることを特徴とする請求項１記載の飲料用自動販売機用容器。
【請求項３】
前記紙製容器の重量は、封入される商品重量と合わせて１００ｇ以上になるように調整されたものであることを特徴とする請求項１又は請求項２記載の飲料用自動販売機用容器。
【請求項４】
前記商品は、衛生・被服用品及び非液体食品から選ばれるものであることを特徴とする請求項１乃至請求項３記載のうちいずれか１に記載の飲料用自動販売機用容器。
【請求項５】
前記衛生用品がマスクであることを特徴とする請求項４記載の飲料用自動販売機用容器。
【請求項６】
前記衛生用品が生理用ナプキンであることを特徴とする請求項４記載の飲料用自動販売機用容器。
【請求項７】
前記被服用品がストッキングであることを特徴とする請求項４記載の飲料用自動販売機用容器。
【請求項８】
前記衛生用品が密封おしぼりであることを特徴とする請求項４記載の飲料用自動販売機用容器。
【請求項９】
前記非液体食品が、健康食品、乾パン、クッキー及び非常用食品から選ばれるものであることを特徴とする請求項４記載の飲料用自動販売機用容器。
【手続補正２】
【補正対象書類名】明細書
【補正対象項目名】全文
【補正方法】変更
【補正の内容】
【考案の詳細な説明】
【技術分野】
【０００１】  本考案は、密封性を有する紙製飲料用自動販売機用容器（以下、「本考案容器」という）に関する。
【背景技術】
【０００２】  一般に、自動販売機にて販売される商品としては飲料が多く、カン、ペットボトルや紙製容器に封入して取り扱われている。また、一部、コンドームなどの衛生用品が紙製容器に入った形で手動式自動販売機などで取り扱われている。
【考案の開示】
【考案が解決しようとする課題】
【０００３】  このような状況下に、原材料コストが安く、かつ、リサイクル原料の有効利用や、更に、購入後の有効利用（再利用）をも可能にする飲料用自動販売機用容器の開発が望まれていた。
【課題を解決するための手段】
【０００４】  本考案者は上記課題を解決するために、鋭意検討を行なった結果、本考案容器を開発するに至った。以下、本考案について詳説する。【０００５】  本考案容器は密封性を有する紙製容器である。その形状は、自動販売機に格納できる形であれば特に限定されないが、商品取り出しの容易性などを考慮して、円筒形、長方体、立方体などが考えられ、特に、飲料で多用されている円筒形及び直方体形がより好ましい（図１及び図２）。【０００６】  また、容器からの商品取り出し口は、自動販売機による販売時に密封が担保される形態であれば特に限定されないが、図３〜図５に示す蓋が好ましい。これら容器本体及び蓋は、その形状を保つことが可能な紙製であるが、古紙などのリサイクルなども考慮すると、再生紙や再生段ボールが好ましい。【０００７】  さらに、本考案容器の紙部分の外側は、容器内商品の水分からの影響を少なくするために汎用されている撥水性コーティング剤でコーティングしても良い。また、蓋部分のみは再密封利用を考慮すると、通常の高分子素材としても良い。さらに、軽重量の商品を封入する場合、容器重量と合わせ、８５ｇ以上の重量がないと、一般の自動販売機内で容器移動が困難になることから、容器重量を８５ｇ以上、好ましくは１００ｇ以上になるように紙厚を調整したり、容器内部に重量調整材を封入しても良い。その場合、重量調整材としては、例えば、図６に示すようなものが挙げられ、材質は特に限定されないが、特に、再生段ボールが好ましい。重量調整材は容器に固定させて使用してもよい。【０００８】  本考案容器に封入する商品としては、飲食料品でなければ特に限定されないが、購入者の当該容器の再利用を考慮して、空容器内面が汚れないものであれば良く、例えば、マスク、整理用ナプキン、ハンカチ、密封おしぼり（エタノールなどを含んだ殺菌用であっても良い）、ストッキングなどの衛生・被服用品；固形健康食品、クッキー、乾パン、非常用食品などの非液体食品などが望ましい。そして、これらの商品はいずれも、１次包装がなされている方がより望ましい。
【考案の効果】
【０００９】  本考案容器を用いることによって、古紙などの再利用が可能となり、その結果、コストの低減化も可能となる。また、購入した消費者は当該空容器を、例えば、鉛筆立て、お菓子入れなど、再利用することも可能になる。【００１０】  また、これらの商品は通常店頭でしか販売されておらず、街角に設置されている自動販売機で入手できることになり、急な使用時に対応できるなど、一般消費者の利便性に寄与するという効果もある。
【実施例】
【００１１】  次に実施例を挙げて本考案を説明するが、本考案はこれに限定されるものではない。
【実施例１】
【００１２】  図７、及び図８は約１５０ｍｌの容量を有する紙製の容器２であり、容器２は段ボール製で周壁としての円筒であって、底面５により閉塞される。３は蓋部としてのポリプロピレン製上蓋であり、３ａは引っ掛けフックである。中には、商品として、１次包装されたマスク６が封入されている。【００１３】容器２の紙厚は１０ｍｍ程度にすることによって、本容器が自動販売機内からスムーズに取り出し口まで落下する。購入者は３ａの指引っ掛けフックを引っ張ることにより、当該容器を開けることができ、商品を取り出すことができる。
【実施例２】
【００１４】  実施例１において、紙厚が３ｍｍの容器２を用いる場合は、図８に示すように、重量調整用部材としての７ｍｍの段ボール製部材４を当該容器内に入れることにより、実施例１と同様に扱うことができる。（前記部材は、容器に均一に重量がかかることが好ましい）
【実施例３】
【００１５】  実施例２において、商品として、１次包装された生理用ナプキン（本例では２個）（図示せず）を封入する。
【実施例４】
【００１６】  実施例１において、商品として、１次包装された女性用ストッキング（図示せず）を封入する。
【実施例５】
【００１７】  実施例２において、商品として、１次包装された殺菌用含水エタノールを染み込ませたお手拭（図示せず）を封入する。
【図面の簡単な説明】
【００１８】
【図１】本考案容器の形（円筒型）
【図２】本考案容器の形（直方体型）
【図３】本考案容器の蓋（ポリプロピレン製指引っ掛けフック付き押し込み型蓋の上から見た図）
【図４】図３のＡ−Ａ断面図
【図５】本考案容器の蓋（直方体容器用再生段ボール製帽子型蓋）
【図６】図５のＡ−Ａ断面図
【図７】本考案容器の蓋（紙又はアルミ薄膜を貼り合わせた紙製で、剥離可能な接着剤による接着型蓋）
【図８】重量調整部材（円筒型）
【図９】実施例１の容器で図１のＡ−Ａ線断面図
【符号の説明】
【００１９】１‥容器の蓋
２‥容器
３‥ポリプロピレン製上蓋
３ａ‥指引っ掛けフック
４‥重量調整部材
５‥容器底面
６‥商品
７‥紙又は段ボール
８‥アルミ薄膜
９‥剥離可能な接着剤
【手続補正３】
【補正対象書類名】図面
【補正対象項目名】全図
【補正方法】変更
【補正の内容】
【図１】
0003115697.tif 000012
【図２】
0003115697.tif 000013
【図３】
0003115697.tif 000014
【図４】
0003115697.tif 000015
【図５】
0003115697.tif 000016
【図６】
0003115697.tif 000017
【図７】
0003115697.tif 000018
【図８】
0003115697.tif 000019
【図９】
0003115697.tif 000020